(57)【要約】【課題】  打球音の大きさ及び音質を良好としうる中空ゴルフクラブヘッドを提供する。【解決手段】  中空のゴルフクラブヘッド１であって、ソール部４には、トウ側からヒール側へと延在するリブ６が少なくとも１本配置されている。リブ６は、当該リブ６のトウ側端及びヒール側端が当該リブ６の中央域よりもフェース側になるように曲がって延在している。【選択図】      図１
2006204604.tif 000002
【特許請求の範囲】
【請求項１】
中空のゴルフクラブヘッドであって、
ソール部には、トウ側からヒール側へと延在するリブが少なくとも１本配置されており、
前記リブは、当該リブのトウ側端及びヒール側端が当該リブの中央域よりもフェース側になるように曲がって延在していることを特徴とするゴルフクラブヘッド。
【請求項２】
前記ソール部のトウ・ヒール方向幅をＡ（ｍｍ）とし、前記リブにおける最もフェース側の点から当該リブの最後方部までのフェース・バック方向幅をＢ（ｍｍ）とし、前記ソール部のトウ側端から前記リブの最後方部までのトウ・ヒール方向幅をＣ（ｍｍ）としたとき、
Ｂ（ｍｍ）が２０ｍｍ〜６０ｍｍであり、（Ｂ／Ａ）が０．２〜０．５であり、（Ｃ／Ａ）が０．３〜０．７であることを特徴とする請求項１に記載のゴルフクラブヘッド。
【請求項３】
前記リブの幅は３ｍｍ以上とされるとともに、前記リブ部の厚さは当該リブ以外の部分におけるソール部の厚さの１．５倍以上であることを特徴とする請求項１又は２のいずれかに記載のゴルフクラブヘッド。
【請求項４】
前記リブは、前記ソール部を２つ以上の領域に分割しており、前記分割された領域のうち最もフェース側に位置する領域の面積は、ソール部全体の面積の５０％〜８０％であることを特徴とする請求項１〜３のいずれかに記載のゴルフクラブヘッド。
【請求項５】
ヘッド体積が３８０〜４７０ｃｃであり、ヘッド重量が１７０〜２１０ｇであることを特徴とする請求項１〜４のいずれかに記載のゴルフクラブヘッド。
【発明の詳細な説明】
【技術分野】
【０００１】
本発明は、ヘッド内部に中空部を有するゴルフクラブヘッドに関するものである。
【背景技術】
【０００２】
ゴルフクラブヘッドの打球音は従来より重要視されているが、特にヘッド内部に中空部を有するゴルフクラブヘッドにおいては、打球音が比較的大きくなり易いため、打球音の音質が極めて重要である。特に近年は、ヘッドの大型化に伴なってヘッド各部の肉厚が薄くなる傾向にあり、打球音が低く且つ大きくなる傾向にあるが、このような打球音は多くのゴルファーにとって好まれない音質となっている。よって、中空ゴルフクラブヘッドにおいては、適度な大きさ及び音質を有することが極めて重要となってきている。
【０００３】
そこで、打球音を改善するための技術が開示されている。即ち特許文献１には、フェース面と直行する方向に延びるリブをソール内面に設けることにより、ヘッド重量に対するヘッド体積を大きくし、打球時の感触を快くすると共に打球音を心地よくしたとするゴルフクラブヘッドが開示されている。また、打球音の改善が目的ではないが、ソールにリブを設けた技術として特許文献２がある。特許文献２では、低重心化を図り且つ振り抜けを良くするため、フェース面と直行する方向に延びる突状部をソール外面に設けた中空ゴルフクラブヘッドが開示されている。
【特許文献１】特開２００３−９３５５９号公報
【特許文献２】特開平７−３１３６３６号公報
【発明の開示】
【発明が解決しようとする課題】
【０００４】
上記の従来技術では、打球音の大きさや音質の改善が十分ではなかった。打撃時におけるソール部の振動は、フェース近傍部分（ボールが当たるフェース面に近い部分）において特に大きくなるが、上記特許文献１及び特許文献２においては、ソール面のリブがフェース面近傍からバック側にかけてフェース・バック方向に延在しているため、フェース面寄りの部分におけるソール部の振動を過度に抑制してしまい、打球音が過度に小さくなってしまうという問題があった。
【０００５】
そこで、リブの配置方向を変更し、フェース・バック方向ではなくトウ・ヒール方向に延在させたリブとし、且つ、リブをフェース近傍には配置せず、例えばフェース・バック方向の中央付近に配置することが考えられる。しかしながらこの場合、ソール部にリブを設けたにもかかわらず、リブの無いソールで生ずる低い打球音を改善することができないことが判明した。その理由としては、トウ・ヒール方向に延び且つフェース・バック方向中央付近に配置されたリブは、打撃時におけるソール振動の腹の位置に配置されることとなり、振動の腹の部分の重量を増加させ、周波数を低くする作用があるという理由が考えられる。一般にソール部にリブを設けると、当該リブがソールの剛性を高め、ソール振動の周波数を高くする作用があると考えられる。しかしながら、トウ・ヒール方向に延び且つフェース・バック方向中央付近に配置されたリブは、打撃時における前記ソール振動の周波数を高める作用は比較的少ない一方で、振動の腹の部分の重量増による周波数低下作用は比較的大きくなっていると考えられる。
【０００６】
本発明は、かかる状況に鑑みなされたものであり、打球音の大きさ及び音質を良好としうる中空ゴルフクラブヘッドを提供することを目的とする。
【課題を解決するための手段】
【０００７】
本発明のゴルフクラブヘッドは、中空のゴルフクラブヘッドであって、ソール部には、トウ側からヒール側へと延在するリブが少なくとも１本配置されており、前記リブは、当該リブのトウ側端及びヒール側端が当該リブの中央域よりもフェース側になるように曲がって延在していることを特徴とする。
【０００８】
この場合、リブがフェース・バック方向に延在している場合のように、ソール部の振動を過度に抑制することがないので、打球音が小さくなりすぎることがない。またリブがトウ・ヒール方向に沿って直線的に延在している場合のように、振動の腹の部分にリブ重量が集中して振動数が低下することがないので、打球音が過度に低くならない。よって、打球音の高さ及び大きさを良好とすることができる。
【０００９】
上記ヘッドにおいては、前記ソール部のトウ・ヒール方向幅をＡ（ｍｍ）とし、前記リブにおける最もフェース側の点から当該リブの最後方部までのフェース・バック方向幅をＢ（ｍｍ）とし、前記ソール部のトウ側端から前記リブの最後方部までのトウ・ヒール方向幅をＣ（ｍｍ）としたとき、Ｂ（ｍｍ）が２０ｍｍ〜６０ｍｍであり、（Ｂ／Ａ）が０．２〜０．５であり、（Ｃ／Ａ）が０．３〜０．７であるのが好ましい。
【００１０】
ソール部のうち打撃時に主として振動する領域は、リブよりもフェース側の領域であるが、Ｂ（ｍｍ）が小さすぎると、リブよりもフェース側の領域が狭くなりすぎてソール部の振動により生ずる打球音が過度に小さくなりやすい。よってＢ（ｍｍ）は２５ｍｍ以上がより好ましく、３０ｍｍ以上が更に好ましい。またＢ（ｍｍ）が大きすぎると、リブよりもフェース側の領域が広くなりすぎてソール部の振動により生ずる打球音が過度に大きく且つ低くなりやすい。よってＢ（ｍｍ）は５０ｍｍ以下がより好ましく、４０ｍｍ以下が更に好ましい。
（Ｂ／Ａ）が小さすぎると、Ｂ（ｍｍ）が小さくなりすぎるため上述したように打球音が過度に小さくなりやすくなり、またＢ（ｍｍ）に対してソールのトウ・ヒール方向幅Ａｍｍが大きくなりすぎて打球音が過度に高くなりやすくなる。よって、（Ｂ／Ａ）は０．２５以上がより好ましく、０．３以上が更に好ましい。また（Ｂ／Ａ）が大きすぎると、Ｂ（ｍｍ）が大きくなりすぎるため上述したように打球音が過度に大きく且つ低くなりやすくなり、またＢ（ｍｍ）に対してソールのトウ・ヒール方向幅Ａｍｍが小さくなりすぎて打球音が過度に低くなりやすくなる。よって、（Ｂ／Ａ）は０．４５以下がより好ましく、０．４以下が更に好ましい。
（Ｃ／Ａ）が０．５よりも大きすぎたり小さすぎたりすると、リブよりもフェース側のソール領域が狭くなりすぎて、ソールの振動により発生する打球音が過度に小さくなりやすい。よって（Ｃ／Ａ）の下限としては０．４以上が更に好ましく、０．４５以上が特に好ましい。また（Ｃ／Ａ）の上限としては０．６以下が更に好ましく、０．５５以下が特に好ましい。
【００１１】
なお、リブにおける最もフェース側の点から当該リブの最後方部までのフェース・バック方向幅Ｂ（ｍｍ）において、リブの最後方部ｒｂにおける幅Ｂｍｍの測定基準位置は、当該最後方部ｒｂのフェース側の縁部とする。
【００１２】
また、ソール部と他の部分（フェース部、サイド部等）との境界が不明確な場合、当該境界は次のように定めうる。ヘッドを所定のリアルロフト角及びライ角で水平面上に載置した場合において、ヘッドの重心点を通り且つ前記水平面と垂直な平面における断面視で、ソール部境界近傍でのヘッド外面の断面線のうち曲率半径が最も小さい点を境界とすることができる。
【００１３】
また、トウ・ヒール方向及びフェース・バック方向は以下のように定めうる。先ず、トウ・ヒール方向は、所定のリアルロフト角及びライ角で水平面上にヘッドを載置した基準状態において、ヘッド重心からフェース面に下ろした垂線（ヘッド重心とスイートスポットとを結ぶ線分）を含む平面と前記水平面との交線の方向をフェース・バック方向としうる。また、上記基準状態において、上記水平面と平行で且つ上記フェース・バック方向と垂直となる方向をトウ・ヒール方向としうる。
【００１４】
前記リブの幅は３ｍｍ以上とされるとともに、前記リブ部の厚さは当該リブ以外の部分におけるソール部の厚さの１．５倍以上であるのが好ましい。
リブの幅が狭すぎるとリブを設けた効果が減少し、打球音が過度に大きく且つ低くなりやすくなる。よって、リブの幅は５ｍｍ以上が更に好ましく、７ｍｍ以上が特に好ましい。但しリブの幅が広すぎるとソールの剛性が高くなりすぎて打球音が過度に小さくなりやすいので、リブ幅の上限としては１５ｍｍ以下とするのが好ましく、１２ｍｍ以下とするのが更に好ましく、１０ｍｍ以下とするのが特に好ましい。
また、リブ部の厚さが薄すぎるとリブを設けた効果が減少し、打球音が過度に大きく且つ低くなりやすくなる。よってリブ部の厚さは、当該リブ以外の部分におけるソール厚さの１．７倍以上が更に好ましく、１．９倍以上が特に好ましい。但しリブ部の厚さが厚すぎるとソールの剛性が高くなりすぎて打球音が過度に小さくなりやすいので、リブ部の厚さの上限としては、当該リブ以外の部分におけるソール部の厚さの３．０倍以下が好ましく、２．５倍以下が更に好ましく、２．０倍以下が特に好ましい。
なお、リブ以外の部分におけるソール部の厚さとは、リブを除いた部分におけるソール部の平均厚さを意味する。また、リブ部の厚さとは、当該リブが設けられた部分におけるソール部の厚さとリブ自体の厚さ（即ちリブの高さ）とを合わせた厚さである。
【００１５】
前記リブは、前記ソール部を２つ以上の領域に分割しており、前記分割された領域のうち最もフェース側に位置する領域の面積は、ソール部全体の面積の５０％〜８０％であるのが好ましい。この面積割合が小さすぎると、ソール部のうち主として振動する領域が狭すぎて、ソール部の振動により生ずる打球音が小さくなりすぎる場合がある。よってこの面積割合は５５％以上が更に好ましく、６０％以上が特に好ましい。またこの面積割合が大きすぎると、ソール部のうち主として振動する領域が広すぎて、ソール部の振動により生ずる打球音が大きく且つ低くなりすぎる場合がある。よってこの面積割合は７５％以下が更に好ましく、７０％以下が特に好ましい。
【００１６】
上記ゴルフクラブヘッドにおいては、ヘッド体積が３８０〜４７０ｃｃであり、ヘッド重量が１７０〜２１０ｇであるのが好ましい。
ヘッド重量を上記範囲とすることにより、所謂ドライバー（Ｗ＃１）のヘッドとして使用した場合に適性なクラブバランスが得られる。この観点から、より好ましいヘッド重量は、下限値としては１７５ｇ以上、更には１８０ｇ以上であり、上限値としては２０５ｇ以下、更には２００ｇ以下である。
また、ヘッド体積が小さすぎると、中空部が小さくなりやすく、且つヘッド各部の肉厚が厚くなりやすい。そのため打球音が小さくなりすぎて本発明の効果が減少する場合がある。よってヘッド体積は４００ｃｃ以上が更に好ましく、４２０ｃｃ以上が特に好ましい。またヘッド体積が大きすぎると、ヘッド強度が不足する場合がある。よってヘッド体積は４６０ｃｃ以下が更に好ましく、４５０ｃｃ以下が特に好ましい。
【発明の効果】
【００１７】
ソール部に設けるリブの仕様を適切に設定したので、中空ゴルフクラブヘッドにおける打球音の大きさ及び音質を改善することができる。
【発明を実施するための最良の形態】
【００１８】
以下に、本発明の実施形態について図面を参照しつつ説明する。
図１は、本発明の一実施形態であるウッド型のゴルフクラブヘッド（以下、単にヘッドともいう）１の斜視図である。図１では、ヘッドの内部が見えるようにヘッドの外殻部の一部を欠截した図としている。
【００１９】
ヘッド１は、中空部を有する金属製ゴルフクラブヘッドであり、打撃時にボールと接触するフェース部２と、ヘッド１の上面を構成しフェース部２の上縁からヘッドのバック側に延びるクラウン部３と、ヘッド１の底面を構成しフェース部２の下縁からヘッドのバック側に延びるソール部４と、フェース部２以外の部分でクラウン部３とソール部４との間に延びるサイド部５とを有している。ヘッド１の内部は中空であり、所定の肉厚を有するフェース部２、クラウン部３、ソール部４、及びサイド部５がヘッド１の外殻部をなしている。また、ヘッド１のヒール側にはシャフトを挿入接着するためのシャフト穴１０を備えたホーゼル部１１が設けられている。なお、ホーゼル部１１の大部分はヘッド１の内部に配設されている。
【００２０】
図２は、ヘッド１をソール部４側から見た図であり、ソール部４内面に配置されたリブ６を破線で示している。図１及び図２に示すように、略弓形に曲がったリブ（厚肉リブ）６がソール部４の内面に設けられている。リブ６の本数は１本である。またリブ６は、当該リブ６のトウ側端６ｔ及びヒール側端６ｈが当該リブ６の中央域（ヒール側端６ｈ及びトウ側端６ｔよりもトウ・ヒール方向中央側の部分）よりもフェース側になるように湾曲している。なおリブ６は、本実施形態のように湾曲しているものに限られず、例えば屈曲していてもよい。そして図２に示すように、本実施形態のリブ６はバック側に凸となるように湾曲している。またリブ６のうち最もバック側の部分である最後方部ｒｂは、ソール部４のトウ・ヒール方向における略中央に位置している。本形態ではリブ６の断面形状は矩形とされているが、半円形や台形等、断面形状は特に問わない。
【００２１】
リブ６はソール部４を横断するように設けられている。即ちリブ６は、ソール部４のトウ側縁部からヒール側縁部にまで設けられており、ソール部４を２つの領域に分割（区分け）している（図２参照）。またリブ６のヒール側端６ｈ及びトウ側端６ｔは、フェース・バック方向の位置が略同一とされている。
【００２２】
図２に示すように、ソール部４のトウ・ヒール方向幅（最大幅）をＡ（ｍｍ）とし、リブ６における最もフェース側の点から当該リブ６の最後方部ｒｂまでのフェース・バック方向幅をＢ（ｍｍ）とし、ソール部４のトウ側端から前記リブの最後方部までのトウ・ヒール方向幅をＣ（ｍｍ）としたとき、Ｂ（ｍｍ）を２０ｍｍ〜６０ｍｍとし、且つ（Ｂ／Ａ）を０．２〜０．５とし、更に（Ｃ／Ａ）を０．３〜０．７としている。
【００２３】
ヘッド１でボールを打撃すると、ヘッド１の各部が振動して打球音が発生するが、リブ６を設けることにより、主としてソール部４の振動が適切に調整され、打球音の大きさや音質（高さ）を改善することが可能となる。即ち、上述した仕様のリブ６とすると、リブ６がフェース・バック方向に延在している場合のように、ソール部の振動を過度に抑制することがないので、打球音が小さくなりすぎることがない。またリブがトウ・ヒール方向に沿って直線的に延在している場合のように、振動の腹の部分にリブ重量が集中して振動数が低下することがないので、打球音が過度に低くならない。よって、打球音の高さ及び大きさを良好とすることができる。なお、ここで主として考慮しているソール部４の振動モードは、ソール部４のフェース側端部近傍及びバック側端部近傍を節とし、ソール部４のフェース・バック方向中央位置を腹とする振動（面外一次曲げ振動）である。フェース・バック方向にリブを延在させた場合、上記面外一次曲げ振動におけるソールの曲げ方向に対する曲げ剛性が過度に高まる。よって上記面外一次曲げ振動が過度に抑制され、打球音が過度に小さくなりやすい。また、トウ・ヒール方向に沿って直線的にリブを延在させた場合、上記面外一次曲げ振動におけるソールの曲げ方向に対する曲げ剛性への影響は少ない一方で、リブの重量が振動の腹に集中することとなるため、打球音が過度に低くなりやすい。
【００２４】
ソール部４のうち打撃時に主として振動する領域は、リブ６よりもフェース側の領域４ｆ（図２において２点鎖線ハッチングで示す）である。Ｂ（ｍｍ）が小さすぎると、リブ６よりもフェース側の領域４ｆが狭くなりすぎてソール部４の振動により生ずる打球音が過度に小さくなりやすい。またＢ（ｍｍ）が大きすぎると、リブ６よりもフェース側の領域４ｆが広くなりすぎてソール部４の振動により生ずる打球音が過度に大きく且つ低くなりやすい。よってＢ（ｍｍ）は上記数値範囲に設定するのがよい。
【００２５】
（Ｂ／Ａ）が小さすぎると、Ｂ（ｍｍ）が小さくなりすぎるため上述したように打球音が過度に小さくなりやすくなり、またＢ（ｍｍ）に対してソールのトウ・ヒール方向幅Ａｍｍが大きくなりすぎて打球音が過度に高くなりやすくなる。また（Ｂ／Ａ）が大きすぎると、Ｂ（ｍｍ）が大きくなりすぎるため上述したように打球音が過度に大きく且つ低くなりやすくなり、またＢ（ｍｍ）に対してソールのトウ・ヒール方向幅Ａｍｍが小さくなりすぎて打球音が過度に低くなりやすくなる。よって、（Ｂ／Ａ）を上記数値範囲に設定するのがよい。
【００２６】
（Ｃ／Ａ）が０．５よりも大きすぎたり小さすぎたりすると、リブ６の最後方部ｒｂの位置がソール部４のトウ・ヒール方向中心位置からトウ側又はヒール側に移動することとなる。そうすると、リブ６よりもフェース側の領域４ｆが狭くなる傾向となる。また、打点はフェース中心に近い位置となる傾向にあるので、領域４ｆのなかでも特にトウ・ヒール方向中心位置近傍が振動しやすいが、リブ６の最後方部ｒｂがトウ・ヒール方向中心位置からトウ側又はヒール側に移動するほど、領域４ｆ内におけるトウ・ヒール方向中心位置近傍の面積が少なくなりやすい。よって、（Ｃ／Ａ）が０．５よりも大きすぎる場合や、０．５よりも小さすぎる場合は、ソールの振動により発生する打球音が過度に小さくなりやすい。したがって、（Ｃ／Ａ）を上記数値範囲に設定するのがよい。
【００２７】
リブ幅Ｗは３ｍｍ以上とされている。またリブ部の厚さは、リブ６以外の部分におけるソール部の厚さの１．５倍以上とされている。また上述したように、リブ６はソール部４を２つ以上の領域に分割しているが、分割された領域のうちフェース側に位置する領域４ｆの面積は、ソール部４全体の面積の５０％〜８０％とされている。
【００２８】
リブ６における最もフェース側の点から、ソール部４のフェース側端までのフェース・バック方向幅Ｄ（ｍｍ）（図２参照）は、以下の範囲が好ましい。Ｄ（ｍｍ）が小さすぎると、リブ６よりもフェース側の領域４ｆが狭くなりすぎてソール部４の振動により生ずる打球音が過度に小さくなりやすい。よってＤ（ｍｍ）は２０ｍｍ以上が好ましく、２５ｍｍ以上がより好ましく、３０ｍｍ以上が更に好ましい。またＤ（ｍｍ）が大きすぎると、リブ６よりもフェース側の領域が広くなりすぎてソール部４の振動により生ずる打球音が過度に大きく且つ低くなりやすい。よってＤ（ｍｍ）は５０ｍｍ以下が好ましく、４５ｍｍ以下がより好ましく、４０ｍｍ以下が更に好ましい。
【００２９】
ソール部４のフェース・バック方向長さＥ（ｍｍ）（図２参照）は、以下の範囲が好ましい。Ｅ（ｍｍ）が小さすぎると、前述したソール部４の面外一次曲げ振動が小さくなるので、本願発明の効果が減少する傾向となる。よってＥ（ｍｍ）は７５ｍｍ以上が好ましく、８０ｍｍ以上がより好ましく、８５ｍｍ以上が更に好ましい。ただし適性なヘッド重量を維持しつつヘッド強度を確保するためにはＥ（ｍｍ）の大きさに限界があるので、１０５ｍｍ以下が好ましく、１００ｍｍ以下が更に好ましく、９５ｍｍ以下が特に好ましい。
【００３０】
リブ６の本数は特に限定しないが、本数が多すぎるとソール部４の剛性が過度に高まり、打球音が小さくなりすぎる場合があるので３本以下が好ましい。またリブ６は１本以上設けることができるが、１本とするのが最も好ましい。リブ６が１本あれば、ソール部４において主として振動する領域である前記領域４ｆを画定することができ、且つリブを複数本とすると、リブの重量が大きくなり、ヘッドの設計自由度が制約されやすいからである。
【００３１】
ヘッドの素材としては、全体が金属よりなるヘッドでもよく、部分的に非金属部材を有するヘッドでもよい。この場合の非金属部材としては、ＣＦＲＰ（炭素繊維強化プラスチック）などを挙げることができる。但し、部分的に非金属部材を有するヘッドの場合を含め、ソール部は金属製とされるのが好ましい。ソール部が金属製の場合、ソール部が非金属の場合と比較して打撃時におけるソール部の振動が大きく、ソール部から発生する打球音が比較的大きくなる。よって、ソール部が金属製の場合に本願発明の必要性が大きく、かつ本願発明の効果がより一層高まる。
【００３２】
ソール部の面積（ソール部全体の面積）は、５５ｃｍ２以上が好ましく、６０ｃｍ２以上がより好ましく、６５ｃｍ２以上が更に好ましい。この面積が狭すぎると、ソール部の振動が過度に小さくなり、打球音が小さくなりすぎる場合があるからである。またソール部の面積は、８５ｃｍ２以下が好ましく、８０ｃｍ２以下がより好ましく、７５ｃｍ２以下が更に好ましい。この面積が広すぎると、ソール部の振動が過度に大きくなり、打球音が過度に大きく且つ低くなる場合があるからである。
【００３３】
リブ以外の部分におけるソール部の厚さ（平均値）は、１．０ｍｍ以上が好ましく、１．１ｍｍ以上がより好ましく、１．２ｍｍ以上が更に好ましい。この厚さが薄すぎると、ソール部の振動が過度に大きくなり、打球音が過度に大きく且つ低くなる場合があるからである。またリブ以外の部分におけるソール部の厚さ（平均値）は、１．８ｍｍ以下が好ましく、１．７ｍｍ以下がより好ましく、１．６ｍｍ以下が更に好ましい。この厚さが厚すぎると、ソール部の振動が過度に小さくなり、打球音が過度に小さくなる場合があるからである。
【００３４】
リブの形成手法は特に限定されず、ソール部と一体成形してもよく、ソール部と別体で成型されたリブをソール部と溶接等にて接合してもよい。但し、リブをソール部と別体で成型して接合する場合は、製造工程が多くなり、また溶接で接合する場合にはソール部に溶接ビードが乗ってしまい、ソール部の重量が重くなりすぎるという問題がある。よって、リブはソール部と一体成形するのが特に好ましい。リブと一体化されたソール部の成形方法としては、ロストワックス精密鋳造や鍛造、あるいは温間又は冷間のプレスなどが例示される。ソール部を構成する金属の種類としては、チタン合金（６Ａｌ−４Ｖチタン、１５Ｖ−３Ｃｒ−３Ａｌ−３Ｓｎチタン、１５Ｍｏ−５Ｚｒ−３Ａｌチタン、１３Ｖ−１１Ｃｒ−３Ａｌチタンなど）、純チタン、ステンレス、マルエージング鋼、アルミニウム合金、マグネシウム合金等が例示される。
【００３５】
リブはソール部の外面に設けても良く、上記実施形態の如くソール部の内面に設けても良い。但し、リブをソール部の内面に設けると、ソールの抜けが良くなり（ソール部外面が接地した場合の抵抗を少なくなり）且つソールの研磨加工が容易となるので好ましい。
【００３６】
〔実施例による本発明の効果の検証〕
実施例１〜６及び比較例１〜３により、打球音の評価を行った。
リブの効果を検証すべく、リブの仕様以外は全ての例（実施例１〜６及び比較例１〜３）において共通の仕様とした。即ち、全ての例において、ソール部内面に配置したリブ部分以外は同一のヘッドとした。このヘッドの肉厚分布は、フェース部肉厚を２．９ｍｍ（フェース部全体で均一肉厚）とし、クラウン部肉厚を０．８ｍｍ（クラウン部全体で均一肉厚）とし、サイド部肉厚を０．８ｍｍ（サイド部全体で均一肉厚）とした。また、全ての例において、ヘッド体積は４３０ｃｃとし、ヘッド重量は１９０ｇとし、ソール部のフェース・バック方向長さ（図２における幅Ｅ）は９０ｍｍとし、共通のシャフト及びグリップを装着した。またヘッドのフェース部は６Ａｌ−４Ｖチタンの板材を鍛造することにより作製し、フェース部以外の部分はソール内面のリブを含め６Ａｌ−４Ｖチタンによる鋳造で一体成形した。
【００３７】
実施例１〜６の形態は、上述した実施形態と同様である。実施例１〜４のリブ配置の概略図が図２であり、実施例５のヘッド２０のリブ配置の概略図は図３であり、実施例６のヘッド３０のリブ配置の概略図は図４である。また比較例１のヘッド４０，比較例２のヘッド５０，比較例３のヘッド６０の概略図をそれぞれ図５，図６，図７で示す。比較例１は、図５に示すようにソール内面のリブを有していないヘッドである。比較例２のヘッドは、ソール部４のトウ・ヒール方向略中央位置においてフェース・バック方向に略真っ直ぐ延在するリブ１５を１本有している（図６参照）。比較例３のヘッドは、ソール部４のフェース・バック方向略中央位置においてトウ・ヒール方向に略真っ直ぐ延在するリブ１６を１本有している（図７参照）。
各例の仕様及び評価結果を表１に示す。
【００３８】
【表１】
2006204604.tif 000003
【００３９】
表中の項目について説明する。「概略図」とは、各例の概略図を示す図の番号である。また「ソール平均厚さ（ｍｍ）」とは、リブ以外の部分におけるソール部の平均厚さである。また「Ｂ」「（Ｂ／Ａ）」「（Ｃ／Ａ）」「Ｄ」の意味については既述の説明の通りである。「リブ部の厚さ」も既述の通りであるから、上記表の値から１．２ｍｍを引いた値がリブの高さとなる。「フェース側面積割合（％）」とは、ソール部内面に設けたリブにより分割されたソール領域のうちフェース側に位置する領域の面積（実施形態における領域４ｆの面積）の、ソール部全体面積に対する割合である。
【００４０】
各例について、ティーアップしたボールをスイングロボットでフェースセンターにて打球させ、打球音を測定した。ボールは各例とも共通のものを用い、ヘッドスピードは４０ｍ／ｓとした。また、各例において同一条件で打球音を測定した。打球音の測定方法は、ティーのトウ側３０ｃｍの位置にマイクロフォンを設置し、打球音を収録し、ＦＦＴアナライザーでフーリエ変換を行い、１／３オクターブバンド処理を行った。そして、最も高いピーク周波数及び音圧（オーバーオール値）を算出した。
【００４１】
また、上記のスイングロボットによるテストとは別に、各例のヘッドで作製したクラブをハンディキャップ５〜１５のゴルファー１０名に屋外（ゴルフ場のティーグラウンド）で打球してもらい、打球音の「心地よさ」を５点法（評価が良好なものほど高得点）により５段階（１点〜５点）で官能評価してもらった。ゴルファー１０名の平均値を表の「官能評価」に示す。実施例では、最も高いピーク周波数及び音圧（オーバーオール値）を総合すると比較例よりも優れているため、官能評価においても比較例より良好な結果となった。
【図面の簡単な説明】
【００４２】
【図１】本発明の一実施形態であるゴルフクラブヘッドの一部欠截斜視図である。
【図２】図１のヘッド（及び実施例１〜４のヘッド）をソール部側からみた図である。
【図３】実施例５のヘッドをソール部側からみた図である。
【図４】実施例６のヘッドをソール部側からみた図である。
【図５】比較例１のヘッドをソール部側からみた図である。
【図６】比較例２のヘッドをソール部側からみた図である。
【図７】比較例３のヘッドをソール部側からみた図である。
【符号の説明】
【００４３】
１    ゴルフクラブヘッド
４    ソール部
４ｆ    リブよりもフェース側の領域（リブにより分割された領域のうち最もフェース側に位置する領域）
６    リブ
２０，３０    ゴルフクラブヘッド
【図１】
2006204604.tif 000004
【図２】
2006204604.tif 000005
【図３】
2006204604.tif 000006
【図４】
2006204604.tif 000007
【図５】
2006204604.tif 000008
【図６】
2006204604.tif 000009
【図７】
2006204604.tif 000010